(57)【特許請求の範囲】
【請求項１】
金銭精算機を収納した金属製筐体の外周面に取り付けた防犯帯において、
前記金属製筐体を構成する金属製扉に設けた施錠装置に、密着させて取り付けた第１の金属製防犯帯と、さらに、前記第１の金属製防犯帯を覆い隠すように構成した第２の金属製防犯帯を設けた二重構造の防犯帯であって、
前記第２の金属製防犯帯を構成する金属製扉との接触面に、前記金属製扉に取り付けた近接センサの検出部が所定の間隙を保持するように構成された凹部を設けておき、前記近接センサが作動したときは警報装置を作動させるようにしたことを特徴とする防犯帯。
【請求項２】
金銭精算機を収納した金属製筐体の外周面に取り付けた防犯帯において、
前記金属製筐体を構成する金属製扉に設けた施錠装置に、密着させて取り付けた第１の金属製防犯帯と、さらに、前記第１の金属製防犯帯を覆い隠すように構成した第２の金属製防犯帯を設けた二重構造の防犯帯であって、
前記金属製筐体内部に設けた光センサを構成する発光素子からの光ビームを、前記金属製筐体の金属製扉に設けた光ビーム用貫通孔を介して第２の金属製防犯帯における金属製扉との接触面に設けた反射板に投光させ、前記反射板からの反射光を前記光ビーム用貫通孔を介して前記光センサを構成する受光素子によって受光するように構成しておき、前記受光素子が受光しなくなったことを検出したときは警報装置を作動させるようにしたことを特徴とする防犯帯。
【発明の詳細な説明】
【０００１】
【発明の属する技術分野】
本発明は、金属製筐体に収納した金銭精算機を盗難から保護するための防犯帯に関する。
【０００２】
【従来の技術】
金属製筐体の外周面に金属製防犯帯を巻き付けたものとしては、特開平１１−１４１２３２号が開示されている。防犯帯を切断して金属製筐体から外し、金属製筐体の扉を開けようとすると、防犯帯と金属製筐体の扉および光センサによって構成した警報装置が作動するようにしてある。
【０００３】
【発明が解決しようとする課題】
最近の金銭精算機を目標にした盗難事件を見ると、強力な各種工具類から重機までも使用するなど、さらに悪質化する傾向が見られる。
そこで、金銭収納部分が破壊されるまでの所要時間がより長くなるようにし、警報装置が作動してから警官等が犯行現場に到着できるまでの時間を確保する必要がある。
【０００４】
【課題を解決するための手段】
本発明は、従来から使用されている警報装置付き防犯帯の機能をさらに強化するためになされたものであって、従来の防犯帯に相当する第１の防犯帯を覆い隠す第２の防犯帯を設け、外側の防犯帯を破壊して筐体の扉を開けようとしても、さらに次の防犯帯が現われるようにして犯人の意欲を喪失させるようにすると共に、防犯帯を完全に破壊するための所要時間を長期化させる。
【０００５】
【発明の実施の形態】
本発明の実施例を図面を参照しながら説明する。
図１は金銭精算機（図示せず）を収納した金属製筐体の外形を示す斜視図である。
金属製筐体１の前面には金属製扉３が設けてあり、この金属製扉３の開口部には施錠装置（全容は図示せず）の一部を構成する金属製防犯帯２が取り付けられている。
【０００６】
図２は金属製防犯帯の構成と、その開閉状態を示す説明図である。
金属製防犯帯２は、外側の金属製防犯帯２２ａ（第２の防犯帯）と内側の金属製防犯帯２１ａ（第１の防犯帯）によって構成してある。外側の金属製防犯帯２２ａは内側の金属製防犯帯２１ａを覆い隠すように構成してあって、回転軸２２ｂを中心として回転可能に、また、内側の金属製防犯帯２１ａは回転軸２１ｂを中心として回転可能に構成してあり、金属製筐体１の側面と金属製扉３の表面との間に設置してある。
【０００７】
図３と図４は、図１におけるＡ−Ａ断面の金属製防犯帯の内部構造を示す説明図である。
金属製扉３に取り付けてあるポップアップ・ハンドル４に密着して箱形断面を有する第１の防犯帯２１ａが設置してあり、この第１の防犯帯２１ａの外側には第２の防犯帯２２ａが設置してあって、第１の防犯帯２１ａを覆い隠すように構成してある。
金属製扉３に接触する第２の防犯帯２２ａの内側の接触面には、金属製扉３に取り付けてある近接センサ１１の検出部が、所定の間隔を保つように構成した凹部６が設けてある。
第２の防犯帯２２ａを破壊して開けようとすると、近接センサ１１が作動してコントローラ１２に信号を送出し、コントローラ１２は警報信号を出力してベル１３を鳴動させると共に、公衆回線を介して監視所に通報する。
【０００８】
第２の防犯帯２２ａの内側には光ビーム８を反射する反射板１０が設けてあり、金属製筐体１の金属製扉３の内側には光センサ７、コントローラ１２、ベル１３より成る警報装置１５が取り付けてある。
光センサ７を構成する発光素子からの光ビーム８は、金属製扉３に設けてある光ビーム用貫通孔９を通って反射板１０において反射され、前記光ビーム用貫通孔９を通った反射光は光センサ７を構成する受光素子によって受光される。
第２の防犯帯２２ａが破壊されたり所定の位置からずれたりすると、反射板１０からの反射光は受光素子によって受光されなくなるので、これを検知したコントローラ１２は警報信号を出力してベル１３を鳴動させると共に公衆回線１４を介して監視所に通報する。
なお、金属製筐体１には上述した警報装置１５および操作用電源としてのバッテリ（図示せず）が内蔵されており、警報装置１５の動作に支障を生じないようにしてある。
【０００９】
前記金属製扉３を開けるには、まず第２の防犯帯２２ａを所定の鍵で解錠し（施錠機構は図示せず）、警報装置１５をロックしたうえで回転軸２２ｂを中心として回転させる。
すると、前記第２の防犯帯２２ａに隠されている第１の防犯帯２１ａが露出するので、この防犯帯２１ａを所定の鍵によって解錠し（施錠機構は図示せず）、回転軸２１ｂを中心にして回転させる。ここで前記金属製扉３を施錠している主錠が現われてくるので、この主錠を所定の鍵で解錠し（施錠機構は図示せず）、金属製扉３を開けることができる。
【００１０】
【発明の効果】
以上説明したように、本発明に係る防犯帯によると、外側の金属製防犯帯を破壊して筐体の扉を開けようとしても、次の金属製防犯帯が現われるため、この段階で犯行を継続する意欲を失わせることができる。
また、犯行を継続しても内側の金属製防犯帯を破壊するのにさらに時間を要することになる。
筐体内部の警報装置は、外側の金属製防犯帯の異常を検出したときに警報を発しているので、破壊行為に長時間を要するようになると犯行を中止せざるを得なくなり、盗難防止に有効な防犯帯を実現できる。
【図面の簡単な説明】
【図１】金銭精算機を収納した金属製筐体の外形を示す斜視図である。
【図２】金属製防犯帯の構成と、その開閉状態を示す説明図である。
【図３】図１のＡ−Ａ断面図である。
【図４】図１のＡ−Ａ断面図である。
【符号の説明】
１  金属製筐体
２  金属製防犯帯
３  金属製扉
２１ａ  内側の防犯帯（第１の防犯帯）
２１ｂ  内側の防犯帯の回転軸
２２ａ  外側の防犯帯（第２の防犯帯）
２２ｂ  外側の防犯帯の回転軸
４  ポップアップ・ハンドル
６  凹部
７  光センサ
８  光ビーム
９  貫通孔
１０  反射板
１１  近接センサ
１２  コントローラ
１３  ベル
１４  公衆回線
１５  警報装置
【図１】
0003549500.tif 000002
【図２】
0003549500.tif 000003
【図３】
0003549500.tif 000004
【図４】
0003549500.tif 000005